(57)【要約】  携帯端末用として好適であり、低背、広角かつ明るいＦナンバーを備えながらも収差特性に優れた撮像レンズ及びこれを用いた撮像装置を提供する。撮像レンズは、物体側から順に開口絞り、物体側に凸面を備え正の屈折力を有する第１レンズ、第２レンズ、負の屈折力を有する第３レンズから成り、以下の条件式を満足する。  ０．９＜ｆ１／ｆ＜１．５      （１）  −３＜ｒ２／ｒ３＜−０．２      （２）  −０．１＜（ｒ５＋ｒ６）／（ｒ５−ｒ６）＜３．０      （３）  ０．１８＜ｄ１／ｆ＜０．５      （４）但し、ｆ１：前記第１レンズの焦点距離ｆ    ：撮像レンズ全系の焦点距離ｒ２  ：前記第１レンズ像側面の近軸曲率半径ｒ３  ：前記第２レンズ物体側面の近軸曲率半径ｒ５  ：前記第３レンズ物体側面の近軸曲率半径ｒ６  ：前記第３レンズ像側面の近軸曲率半径ｄ１  ：前記第１レンズ物体側面から像側面までの光軸上の距離
2013132915.tif 000002
【特許請求の範囲】
【請求項１】
固体撮像素子に対して被写体像を結像させる撮像レンズにおいて、物体側から順に開口絞り、物体側に凸面を備え正の屈折力を有する第１レンズ、第２レンズ、負の屈折力を有する第３レンズから成り、以下の条件式を満足することを特徴とする撮像レンズ。
０．９＜ｆ１／ｆ＜１．５        （１）
−３＜ｒ２／ｒ３＜−０．２      （２）
−０．１＜（ｒ５＋ｒ６）／（ｒ５−ｒ６）＜３．０      （３）
０．１８＜ｄ１／ｆ＜０．５      （４）
但し、
ｆ１  ：前記第１レンズの焦点距離
ｆ    ：撮像レンズ全系の焦点距離
ｒ２  ：前記第１レンズ像側面の近軸曲率半径
ｒ３  ：前記第２レンズ物体側面の近軸曲率半径
ｒ５  ：前記第３レンズ物体側面の近軸曲率半径
ｒ６  ：前記第３レンズ像側面の近軸曲率半径
ｄ１  ：前記第１レンズ物体側面から像側面までの光軸上の距離
【請求項２】
前記第１レンズは物体側が凸面、像側が凹面の物凸メニスカス形状であることを特徴とする請求項１に記載の撮像レンズ。
【請求項３】
前記第２レンズは物体側が凹面であることを特徴とする請求項１又は２に記載の撮像レンズ。
【請求項４】
前記第２レンズは像側面が凸面であることを特徴とする請求項１〜３のいずれか１項に記載の撮像レンズ。
【請求項５】
前記第３レンズは像側面が凹面であることを特徴とする請求項１〜４のいずれか１項に記載の撮像レンズ。
【請求項６】
前記第３レンズは像側面が凹面でかつ周辺部に凸面を有することを特徴とする請求項１〜５のいずれか１項に記載の撮像レンズ。
【請求項７】
前記第２レンズは、以下の条件式を満足することを特徴とする請求項１〜６のいずれか１項に記載の撮像レンズ。
０．５＜ｆ２／ｆ＜４．０      （５）
但し、
ｆ２  ：前記第２レンズの焦点距離
【請求項８】
前記第３レンズは、以下の条件式を満足することを特徴とする請求項１〜７のいずれか１項に記載の撮像レンズ。
−１０＜ｆ３／ｆ＜−０．７      （６）
但し、
ｆ３：前記第３レンズの焦点距離
【請求項９】
前記撮像レンズは、以下の条件式を満足することを特徴とする請求項１〜８のいずれか１項に記載の撮像レンズ。
０．１＜｜ｆ１／ｆ２｜＜２．０      （７）
但し、
ｆ２  ：前記第２レンズの焦点距離
【請求項１０】
前記撮像レンズは、以下の条件式を満足することを特徴とする請求項１〜９のいずれか１項に記載の撮像レンズ。
０．３＜（ｄ１＋ｄ３＋ｄ５）／ＴＴＬ＜０．７      （８）
但し、
ｄ３  ：前記第２レンズ物体側面から像側面までの光軸上の距離
ｄ５  ：前記第３レンズ物体側面から像側面までの光軸上の距離
ＴＴＬ：前記第１レンズ物体側面から前記固体撮像素子の受光面までの光軸上の距離
【請求項１１】
前記第３レンズは、以下の条件式を満足することを特徴とする請求項１〜１０のいずれか１項に記載の撮像レンズ。
１．５５＜ｎ３＜１．９０      （９）
ｎ３  ：前記第３レンズの屈折率
【請求項１２】
実質的に屈折力を有しないレンズを有することを特徴とする請求項１〜１１のいずれか１項に記載の撮像レンズ。
【請求項１３】
請求項１〜１２のいずれか１項に記載の撮像レンズを有することを特徴とする撮像装置。
【発明の詳細な説明】
【技術分野】
【０００１】
本発明は、ＣＣＤ(Charge Coupled Device)型イメージセンサやＣＭＯＳ(Complementary Metal-Oxide Semiconductor)型イメージセンサ等の固体撮像素子を用いた撮像装置に好適な撮像レンズ及び撮像レンズを用いた撮像装置に関するものである。
【背景技術】
【０００２】
小型で薄型の撮像装置が、携帯電話機やＰＤＡ(Personal Digital Assistant)等のコンパクトで、薄型の電子機器である携帯端末に搭載されるようになり、これにより遠隔地へ音声情報だけでなく画像情報も相互に伝送することが可能となっている。【０００３】
これらの撮像装置に使用される撮像素子としては、ＣＣＤ(Charge Coupled Device)型イメージセンサおよびＣＭＯＳ(Complementary Metal-Oxide Semiconductor)型イメージセンサ等の固体撮像素子が使用されている。近年では、撮像素子の画素ピッチの微小化が進み、高画素化により、高解像、高性能化が図られてきている。一方で、画素を維持しながら、撮像素子の小型化を図ることもある。加えて、最近では携帯端末を使用するユーザーの画像を撮影して相手方に伝送し、会話する相手の画像を相互に表示する、いわゆるテレビ電話機能も有する携帯端末も増えつつある。このため、メインカメラの他に、ユーザー自身を撮影するサブカメラを備えている携帯端末も多い。【０００４】
また、レンズモジュールを大量生産する手法と共に、レンズモジュールを低コストかつ大量に基板に実装する方法として、近年では予め半田がポッティングされた基板に対しＩＣ(Integrated Circuit)チップや、その他の電子部品と共に、レンズモジュールを載置したままリフロー処理（加熱処理）し、半田を溶融させることにより電子部品とレンズモジュールとを基板に同時実装するという手法が提案されており、リフロー処理に耐え得る耐熱性に優れた撮像レンズも求められている。このような撮像レンズとして、レンズブロックを３枚構成とした撮像レンズが特許文献１，２により提案されている。
【先行技術文献】
【特許文献】
【０００５】
【特許文献１】特開２００６−８４７２０号広報
【特許文献２】米国特許出願第２０１１／２７９９１０号明細書
【発明の概要】
【発明が解決しようとする課題】
【０００６】
ところで上記のように、携帯端末等にテレビ電話機能を持たせた時に使用される撮像レンズには、携帯端末等を使用する至近距離のユーザーを撮影するために必要な広角性能のみならず、例えばサブカメラ用の撮像装置に用いる固体撮像素子の画素ピッチが小さくなってきていることに鑑みて、より明るいＦナンバーの確保も求められているという実情がある。ところが、特許文献１に記載のレンズは、かかる用途に必要な広角性能を達成していないばかりかＦナンバーも暗いという問題がある。これに対し、特許文献２に記載のレンズは広角性能と、明るいＦナンバーは確保しているものの、諸収差の補正が不十分で画面周辺部まで良好な画質を得ることができないという問題がある。【０００７】
本発明は、このような問題を鑑みてなされたものであり、携帯端末用として好適であり、低背、広角かつ明るいＦナンバーを備えながらも収差特性に優れた撮像レンズ及びこれを用いた撮像装置を提供することを目的とする。
【課題を解決するための手段】
【０００８】
請求項１に記載の撮像レンズは、固体撮像素子に対して被写体像を結像させる撮像レンズにおいて、物体側から順に開口絞り、物体側に凸面を備え正の屈折力を有する第１レンズ、第２レンズ、負の屈折力を有する第３レンズから成り、以下の条件式を満足することを特徴とする。
０．９＜ｆ１／ｆ＜１．５        （１）
−３＜ｒ２／ｒ３＜−０．２      （２）
−０．１＜（ｒ５＋ｒ６）／（ｒ５−ｒ６）＜３．０      （３）
０．１８＜ｄ１／ｆ＜０．５      （４）
但し、
ｆ１  ：前記第１レンズの焦点距離
ｆ    ：撮像レンズ全系の焦点距離
ｒ２  ：前記第１レンズ像側面の近軸曲率半径
ｒ３  ：前記第２レンズ物体側面の近軸曲率半径
ｒ５  ：前記第３レンズ物体側面の近軸曲率半径
ｒ６  ：前記第３レンズ像側面の近軸曲率半径
ｄ１  ：前記第１レンズ物体側面から像側面までの光軸上の距離【０００９】
本発明によれば、３枚のレンズ構成とすることで、２枚のレンズ構成よりも収差特性に優れ高性能の撮像レンズとすることができる。又、前記開口絞りを前記第１レンズよりも物体側に配置することで、良好なテレセントリック性を保ちつつ低背化することができる。更に、前記第１レンズの物体側を凸面とし、前記第１レンズに正の屈折力を持たせることで、低背化と広角化を実現することができる。加えて、前記第３レンズに負の屈折力を持たせることで、像面湾曲、非点収差を補正できるとともにバックフォーカスを長くすることができる。【００１０】
条件式（１）の値が上限を下回ることで低背化、広角化に有利となり、一方、条件式（１）の値が下限を上回ることで、前記第１レンズで発生する球面収差、コマ収差を抑え明るいＦナンバーを実現することができる。Ｆナンバーは３以下であることが好ましい。【００１１】
条件式（２）を満足することで、前記第１レンズ像側面で発生するコマ収差を前記第２レンズ物体側面で良好に補正することができ、広角化が実現できる。画角は６５゜以上あると好ましい。【００１２】
条件式（３）を満足することで、非点収差を良好に補正できる他、バックフォーカスを長くすることができる。【００１３】
条件式（４）の値が上限を下回ることで低背化を実現でき、条件式（４）の値が下限を上回ることで、前記第１レンズで発生する球面収差、コマ収差を抑え明るいＦナンバーの確保を実現できる。【００１４】
請求項２に記載の撮像レンズは、請求項１に記載の発明において、前記第１レンズは物体側が凸面、像側が凹面の物凸メニスカス形状であることを特徴とする。【００１５】
前記第１レンズの像側面を凹面とすることで像面湾曲を補正できる他、前記第１レンズで発生する球面収差、コマ収差を補正することができ、広角化と明るいＦナンバーが実現できる。【００１６】
請求項３に記載の撮像レンズは、請求項１又は２に記載の発明において、前記第２レンズは物体側が凹面であることを特徴とする。【００１７】
前記第２レンズの物体側面を凹面とすることで像面湾曲と非点収差を補正でき、広角化を実現できる。【００１８】
請求項４に記載の撮像レンズは、請求項１〜３のいずれかに記載の発明において、前記第２レンズは像側面が凸面であることを特徴とする。【００１９】
前記第２レンズの像側面を凸面とすることで、前記第１レンズに強い正の屈折力を持たせなくても広角化を実現でき、前記第１レンズで発生する球面収差、コマ収差を抑えることができるため明るいＦナンバーを実現できる。【００２０】
請求項５に記載の撮像レンズは、請求項１〜４のいずれかに記載の発明において、前記第３レンズは像側面が凹面であることを特徴とする。【００２１】
前記第３レンズの像側面を凹面とすることで非点収差を補正できるため、広角化を実現できる他、バックフォーカスを長くすることができる。【００２２】
請求項６に記載の撮像レンズは、請求項１〜５のいずれかに記載の発明において、前記第３レンズは像側面が凹面でかつ周辺部に凸面を有することを特徴とする。【００２３】
前記第３レンズの像側面の周辺部を凸面とすることで、テレセントリック性を良好に保ちながら低背化が実現できる。尚、「像側面が凹面でかつ周辺部に凸面を有する」とは、像側面の光軸を含む断面において光軸から離れるにつれて像側に向かい、変曲点を境に物体側に向かう形状であることをいう。【００２４】
請求項７に記載の撮像レンズは、請求項１〜６のいずれかに記載の発明において、前記第２レンズは、以下の条件式を満足することを特徴とする。
０．５＜ｆ２／ｆ＜４．０      （５）
但し、
ｆ２  ：前記第２レンズの焦点距離【００２５】
条件式（５）の値が上限を下回ることで低背化、広角化に有利となり、一方、条件式（５）の値が下限を上回ることで像面湾曲、非点収差の発生を抑えることができる。【００２６】
請求項８に記載の撮像レンズは、請求項１〜７のいずれかに記載の発明において、前記第３レンズは、以下の条件式を満足することを特徴とする。
−１０＜ｆ３／ｆ＜−０．７      （６）
但し、
ｆ３：前記第３レンズの焦点距離【００２７】
条件式（６）の値が上限を下回ることで低背化に有利となり、一方、条件式（６）の値が下限を上回ることで非点収差を良好に補正できる。尚、以下の式を満たすと、更に好ましい。
−１０＜ｆ３／ｆ＜−０．８８      （６’）【００２８】
請求項９に記載の撮像レンズは、請求項１〜８のいずれかに記載の発明において、前記撮像レンズは、以下の条件式を満足することを特徴とする。
０．１＜｜ｆ１／ｆ２｜＜２．０      （７）
但し、
ｆ２  ：前記第２レンズの焦点距離【００２９】
条件式（７）の値が上限を下回ることで低背化に有利となり、一方、条件式（７）の値が下限を上回ることで、第１レンズで発生する球面収差、コマ収差を抑えることができるため明るいＦナンバーを確保することができる。【００３０】
請求項１０に記載の撮像レンズは、請求項１〜９のいずれかに記載の発明において、前記撮像レンズは、以下の条件式を満足することを特徴とする。
０．３＜（ｄ１＋ｄ３＋ｄ５）／ＴＴＬ＜０．７      （８）
但し、
ｄ３  ：前記第２レンズ物体側面から像側面までの光軸上の距離
ｄ５  ：前記第３レンズ物体側面から像側面までの光軸上の距離
ＴＴＬ：前記第１レンズ物体側面から前記固体撮像素子の受光面までの光軸上の距離【００３１】
条件式（８）の値が上限を下回ることで低背化を実現できバックフォーカスを長くすることができる。一方、条件式（８）の値が下限を上回ることで、各レンズの厚みが薄くなりすぎず撮像レンズの製造安定性が向上する。【００３２】
請求項１１に記載の撮像レンズは、請求項１〜１０のいずれかに記載の発明において、前記第３レンズは、以下の条件式を満足することを特徴とする。
１．５５＜ｎ３＜１．９０      （９）
ｎ３  ：前記第３レンズの屈折率【００３３】
前記第３レンズに高い屈折率の材料を用いることで面のサグ量を小さくすることができ倍率色収差の発生を抑えることができる他、レンズ厚みを確保しやすくなる。このような素材としては、ガラスがある。レンズをガラス製とする場合、軸上厚が０．３ｍｍより大きいと割れにくいので好ましい。【００３４】
請求項１２に記載の撮像レンズは、請求項１〜１１のいずれかに記載の発明において、実質的に屈折力を有しないレンズを有することを特徴とする。つまり、請求項１の構成に、実質的に屈折力を持たないダミーレンズを付与した場合でも本発明の適用範囲内である。【００３５】
請求項１３に記載の撮像装置は、請求項１〜１２のいずれかに記載の撮像レンズを用いることを特徴とする。
【発明の効果】
【００３６】
本発明によれば、携帯端末用として好適であり、低背、広角かつ明るいＦナンバーを備えながらも収差特性に優れた撮像レンズ及びこれを用いた撮像装置を提供することができる。
【図面の簡単な説明】
【００３７】
【図１】本実施の形態にかかる撮像装置ＬＵの斜視図である。
【図２】図１の構成を矢印II-II線で切断して矢印方向に見た断面図である。
【図３】携帯電話機Ｔの表面を示す図である。
【図４】携帯電話機Ｔの裏面を示す図である。
【図５】実施例１にかかる撮像レンズの断面図である。
【図６】実施例１にかかる撮像レンズの球面収差（ａ）、非点収差（ｂ）、及び歪曲収差（ｃ）の収差図である。
【図７】実施例２にかかる撮像レンズの断面図である。
【図８】実施例２にかかる撮像レンズの球面収差（ａ）、非点収差（ｂ）、及び歪曲収差（ｃ）の収差図である。
【図９】実施例３にかかる撮像レンズの断面図である。
【図１０】実施例３にかかる撮像レンズの球面収差（ａ）、非点収差（ｂ）、及び歪曲収差（ｃ）の収差図である。
【図１１】実施例４にかかる撮像レンズの断面図である。
【図１２】実施例４にかかる撮像レンズの球面収差（ａ）、非点収差（ｂ）、及び歪曲収差（ｃ）の収差図である。
【図１３】実施例５にかかる撮像レンズの断面図である。
【図１４】実施例５にかかる撮像レンズの球面収差（ａ）、非点収差（ｂ）、及び歪曲収差（ｃ）の収差図である。
【図１５】実施例６にかかる撮像レンズの断面図である。
【図１６】実施例６にかかる撮像レンズの球面収差（ａ）、非点収差（ｂ）、及び歪曲収差（ｃ）の収差図である。
【図１７】実施例７にかかる撮像レンズの断面図である。
【図１８】実施例７にかかる撮像レンズの球面収差（ａ）、非点収差（ｂ）、及び歪曲収差（ｃ）の収差図である。
【図１９】実施例８にかかる撮像レンズの断面図である。
【図２０】実施例８にかかる撮像レンズの球面収差（ａ）、非点収差（ｂ）、及び歪曲収差（ｃ）の収差図である。
【図２１】実施例９にかかる撮像レンズの断面図である。
【図２２】実施例９にかかる撮像レンズの球面収差（ａ）、非点収差（ｂ）、及び歪曲収差（ｃ）の収差図である。
【図２３】実施例１０にかかる撮像レンズの断面図である。
【図２４】実施例１０にかかる撮像レンズの球面収差（ａ）、非点収差（ｂ）、及び歪曲収差（ｃ）の収差図である。
【図２５】実施例１１にかかる撮像レンズの断面図である。
【図２６】実施例１１にかかる撮像レンズの球面収差（ａ）、非点収差（ｂ）、及び歪曲収差（ｃ）の収差図である。
【図２７】実施例１２にかかる撮像レンズの断面図である。
【図２８】実施例１２にかかる撮像レンズの球面収差（ａ）、非点収差（ｂ）、及び歪曲収差（ｃ）の収差図である。
【図２９】実施例１３にかかる撮像レンズの断面図である。
【図３０】実施例１３にかかる撮像レンズの球面収差（ａ）、非点収差（ｂ）、及び歪曲収差（ｃ）の収差図である。
【発明を実施するための形態】
【００３８】
以下、本発明の実施の形態を図面に基づいて説明する。図１は、本実施の形態にかかる撮像装置ＬＵの斜視図であり、図２は、図１の構成を矢印II-II線で切断して矢印方向に見た断面図である。図１，２に示すように、撮像装置ＬＵは、光電変換部ＩＭａを有する固体撮像素子としてのＣＭＯＳ型イメージセンサＩＭと、このイメージセンサＩＭの光電変換部（受光面）ＩＭａに被写体像を撮像させる撮像レンズＬＮと、その電気信号の送受を行う不図示の外部接続用端子（電極）とを備え、これらが一体的に形成されている。
【００３９】
撮像レンズＬＮは、物体側（図２で上方）から順に、開口絞りＡｐｅと、正の屈折力を有する第１レンズＬ１と、第２レンズＬ２と、負の屈折力を有する第３レンズＬ３とからなる。第１レンズＬ１と第２レンズＬ２とは、ドーナッツ板状の第１の遮光部材ＳＨ１を介して接合されており、第２レンズＬ２と第３レンズＬ３とは、ドーナッツ板状の第２の遮光部材ＳＨ２を介して接合されている。より具体的には、ガラス製の板状成形体に複数のレンズを成形したものを、レンズの種類毎に３枚用意し、間に遮光部材ＳＨ１，ＳＨ２を介在させてレンズの光軸を合わせながら接合した後に、光軸を合わせたレンズ毎に周囲を矩形状に切断して撮像レンズＬＮとしている。ここで、第１レンズＬ１の像側光学面の外側と、第２レンズＬ２の物体側光学面の外側とが僅かなスキマを隔てているので、第１レンズＬ１のフランジ部と、第２レンズＬ２にフランジ部とが当接しやすくなっている。又、第２レンズＬ２の像側光学面の外側と、第３レンズＬ３の物体側光学面の外側とが僅かなスキマを隔てているので、第２レンズＬ２のフランジ部と、第３レンズＬ３のフランジ部とが当接しやすくなっている。
【００４０】
切断された撮像レンズＬＮは、内周断面が矩形状の鏡筒ＨＬＤの内周に嵌合し接着剤を介して固定されている。鏡筒ＨＬＤは外周に外ネジ部ＨＬＤａを有しており、これを円筒状の筐体ＢＸの内ネジ部ＢＸａに螺合させることで、鏡筒ＨＬＤは光軸方向に調整自在に筐体ＢＸに取り付けられている。鏡筒ＨＬＤの下端に対向して、筐体ＢＸから内周側に突出したフランジ部ＢＸｂに、ＩＲカットフィルタＩＲＣＦが取り付けられている。又、筐体ＢＸの下端は、イメージセンサＩＭを保持する基板ＳＴに当接している。
【００４１】
尚、本発明に記載の撮像レンズＬＮは、上記構成に限られるものではない。例えば、ガラスまたはプラスチック製の各レンズＬ１〜Ｌ３を個別に成形し、接合させずに鏡筒ＨＬＤ内に収容してもよい。また、レンズの偏心を合わせるためにレンズ外周部または鏡筒ＨＬＤに嵌合部を設けてもよい。
【００４２】
本実施の形態の撮像レンズＬＮは、以下の条件式を満足する。
０．９＜ｆ１／ｆ＜１．５        （１）
−３＜ｒ２／ｒ３＜−０．２      （２）
−０．１＜（ｒ５＋ｒ６）／（ｒ５−ｒ６）＜３．０      （３）
０．１８＜ｄ１／ｆ＜０．５      （４）
但し、
ｆ１  ：第１レンズＬ１の焦点距離
ｆ    ：撮像レンズ全系の焦点距離
ｒ２  ：第１レンズＬ１像側面の近軸曲率半径
ｒ３  ：第２レンズＬ２物体側面の近軸曲率半径
ｒ５  ：第３レンズＬ３物体側面の近軸曲率半径
ｒ６  ：第３レンズＬ３像側面の近軸曲率半径
ｄ１  ：第１レンズＬ１物体側面から像側面までの光軸上の距離
【００４３】
上記イメージセンサＩＭは、その受光側の平面の中央部に、画素（光電変換素子）が２次元的に配置された、受光部としての光電変換部ＩＭａが形成されており、不図示の信号処理回路に接続されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、イメージセンサＩＭの受光側の平面の外縁近傍には、多数のパッド（図示略）が配置されており、不図示のワイヤを介してイメージセンサＩＭに接続されている。イメージセンサＩＭは、光電変換部ＩＭａからの信号電荷をデジタルＹＵＶ信号等の画像信号等に変換し、ワイヤ（不図示）を介して所定の回路に出力する。ここで、Ｙは輝度信号、Ｕ（＝Ｒ−Ｙ）は赤と輝度信号との色差信号、Ｖ（＝Ｂ−Ｙ）は青と輝度信号との色差信号である。なお、固体撮像素子は上記ＣＭＯＳ型のイメージセンサに限定されるものではなく、ＣＣＤ等の他のものを使用しても良い。
【００４４】
イメージセンサＩＭは、外部接続用端子を介して外部回路（例えば、撮像装置を実装した携帯端末の上位装置が有する制御回路）と接続し、外部回路からイメージセンサＩＭを駆動するための電圧やクロック信号の供給を受けたり、また、デジタルＹＵＶ信号を外部回路へ出力したりすることを可能とする。
【００４５】
次に、撮像装置を備えた携帯端末の一例として携帯電話機を図３，４の外観図に基づいて説明する。なお、図３は折り畳んだ携帯電話機を開いて内側から見た図であり、図４は折り畳んだ携帯電話機を開いて外側から見た図である。
【００４６】
図３，４において、携帯電話機Ｔは、表示画面Ｄ１，Ｄ２を備えたケースとしての上筐体７１と、操作ボタンＢを備えた下筐体７２とがヒンジ７３を介して連結されている。本実施の形態においては、風景等を撮影するためのメインの撮像装置ＭＣが、上筐体７１の表面側に設けられ、上述した広角の撮像レンズＬＮを備える撮像装置ＬＵが、上筐体７１の裏面側であって表示画面Ｄ１の上に設けられている。
【００４７】
撮像レンズＬＮは、図３に示すように撮像装置ＬＵに正対した状態で、携帯電話機Ｔを手で把持した使用者自身の上半身を撮像装置ＬＵにより撮像できる。本実施の形態の撮像レンズＬＮは、撮像装置ＬＵのコンパクト化に貢献し、且つ広角でＦナンバーが明るいため、このような撮影に好適である。その画像信号を通信している相手方の携帯電話機に送信して、こちらのユーザーの画像を表示できると共に、通常の通話を行うことにより、いわゆるテレビ電話を実現できる。なお、携帯電話機Ｔは折り畳み式に限定されるものではない。
【００４８】
（実施例）
次に、上述した実施の形態に好適な実施例について説明する。但し、以下に示す実施例により本発明が限定されるものではない。実施例における各符号の意味は以下の通りである（長さの単位は、波長以外ｍｍ）。
ＦＬ：撮像レンズ全系の焦点距離（ｍｍ）
ＢＦ：バックフォーカス（ｍｍ）（但し、カバーガラス込みの近軸像面までの距離）
Ｆｎｏ  ：Ｆナンバー
ｗ  ：半画角（゜）
Ｙｍａｘ：固体撮像素子の撮像面対角線長の半分の長さ（ｍｍ）
ＴＬ：撮像レンズ全系の最も物体側のレンズ面から像側焦点までの光軸上の距離（ｍｍ）（但し、「像側焦点」とは、撮像レンズに光軸と平行な平行光線が入射した場合の像点をいう。）
ｒ  ：屈折面の曲率半径（ｍｍ）
ｄ  ：軸上面間隔（ｍｍ）
ｎｄ：レンズ材料のｄ線の常温での屈折率
ｖｄ：レンズ材料のアッベ数
ＳＴＯ：開口絞り
【００４９】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【００５０】
【数１】
2013132915.tif 000003
ただし、
Ａｉ：ｉ次の非球面係数
Ｒ  ：曲率半径
Ｋ  ：円錐定数
である。
【００５１】
また、以降（表のレンズデータを含む）において、１０のべき乗数（例えば、２．５×１０-02）をＥまたはｅ（例えば２．５ｅ−００２）を用いて表すものとする。また、レンズデータの面番号は第１レンズの物体側を１面として順に付与した。なお、実施例に記載の長さを表す数値の単位はすべてｍｍとする。
【００５２】
なお、請求項ならびに実施例に記載の近軸曲率半径の意味合いについて、実際のレンズ測定の場面においては、レンズ中央近傍(具体的には、レンズ外径に対して10%以内の中央領域)での形状測定値を最小自乗法でフィッティングした際の近似曲率半径を近軸曲率半径であるとみなすことができる。また、例えば2次の非球面係数を使用した場合には、非球面定義式の基準曲率半径に2次の非球面係数も勘案した曲率半径を近軸曲率半径とみなすことができる。（例えば参考文献として、松居吉哉著「レンズ設計法」(共立出版株式会社)のP41〜42を参照のこと）
【００５３】
（実施例１）
実施例１におけるレンズデータを表１に示す。図５は実施例１のレンズの断面図である。実施例１の撮像レンズは、物体側から順に、開口絞りＡｐｅ、物体側に凸面を備え正の屈折力を有する第１レンズＬ１、第２レンズＬ２、負の屈折力を有する第３レンズＬ３から成る。第１レンズＬ１は物体側が凸面、像側が凹面の物凸メニスカス形状である。第２レンズＬ２は物体側が凹面であり、像側面が凸面である。第３レンズＬ３は像側面が凹面でかつ周辺部に凸面を有する。ＩＲＣＦはＩＲカットフィルタであり、ＩＭは固体撮像素子の撮像面である。
【００５４】
［表1］
[実施例1]
Reference Wave Length = 587.56 nm
SURF DATA
NUM.       r           d          nd     vd
OBJ     INFINITY    350.0000
1       1e+018      0.0500
STO       1e+018     -0.0540
3*      0.8606      0.4890     1.58313  59.44
4*      2.0071      0.2570
5*     -2.0733      0.5110     1.58313  59.44
6*     -0.6943      0.0500
7*      1e+018      0.4500     1.58313  59.44
8*      0.9880      0.2160
9       1e+018      0.2100     1.52310  54.49
10       1e+018      0.2683
IMG     INFINITY      
ASPHERICAL SURFACE
3:K=-1.30010e+001,A3=-6.14640e-002,A4=3.15580e+000,A5=-3.32680e+000,A6=-5.31990e+000,A7=0.00000e+000,A8=-1.24250e+001,A9=0.00000e+000,A10=9.51540e+002,A11=0.00000e+000,A12=-8.11230e+003,A13=0.00000e+000,A14=2.25920e+004,A15=0.00000e+000,A16=0.00000e+000,A17=0.00000e+000,A18=0.00000e+000,A19=0.00000e+000,A20=0.00000e+000
4:K=1.00000e+001,A3=0.00000e+000,A4=-4.83238e-002,A5=0.00000e+000,A6=7.28849e+000,A7=0.00000e+000,A8=-1.03218e+002,A9=0.00000e+000,A10=7.96653e+002,A11=0.00000e+000,A12=-2.56732e+003,A13=0.00000e+000,A14=-2.57071e+002,A15=0.00000e+000,A16=1.30778e+004,A17=0.00000e+000,A18=0.00000e+000,A19=0.00000e+000,A20=0.00000e+000
5:K=-3.14500e+001,A3=-1.20510e-001,A4=-1.58460e-001,A5=-3.88480e-001,A6=4.92580e+000,A7=0.00000e+000,A8=-7.10300e+001,A9=0.00000e+000,A10=6.50140e+002,A11=0.00000e+000,A12=-3.08060e+003,A13=0.00000e+000,A14=7.51640e+003,A15=0.00000e+000,A16=-7.55150e+003,A17=0.00000e+000,A18=0.00000e+000,A19=0.00000e+000,A20=0.00000e+000
6:K=-5.06210e+000,A4=-1.23770e+000,A6=4.47770e+000,A8=-1.06290e+001,A10=2.09850e+001,A12=-1.11890e+001,A14=-6.32490e+000,A16=-2.78530e+000,A18=0.00000e+000,A20=0.00000e+000
7:K=0.00000e+000,A3=0.00000e+000,A4=-5.57720e-001,A5=0.00000e+000,A6=-3.89730e-001,A7=0.00000e+000,A8=3.89390e+000,A9=0.00000e+000,A10=-5.97670e+000,A11=0.00000e+000,A12=2.96330e+000,A13=0.00000e+000,A14=9.60810e-001,A15=0.00000e+000,A16=-9.89190e-001,A17=0.00000e+000,A18=0.00000e+000,A19=0.00000e+000,A20=0.00000e+000
8:K=-3.56660e-001,A3=0.00000e+000,A4=-1.03780e+000,A5=0.00000e+000,A6=9.89190e-001,A7=0.00000e+000,A8=-7.02670e-001,A9=0.00000e+000,A10=2.27500e-002,A11=0.00000e+000,A12=3.15910e-001,A13=0.00000e+000,A14=-2.14930e-001,A15=0.00000e+000,A16=4.06740e-002,A17=0.00000e+000,A18=0.00000e+000,A19=0.00000e+000,A20=0.00000e+000
FL       1.803mm
Fno       2.780
w       35.44゜
Ymax       1.295mm
BF       0.694mm
TL       2.451mm
Elem   Surfs     Focal Length
1     3- 4       2.233mm
2     5- 6       1.575mm
3     7- 8      -1.694mm
【００５５】
図６は実施例１の収差図（球面収差（ａ）、非点収差（ｂ）、歪曲収差（ｃ））である。ここで、球面収差図において、実線はｄ線、点線はｇ線に対する球面収差量をそれぞれ表し、非点収差図において、実線はサジタル面、点線はメリディオナル面を表す（以下、同じ）。
【００５６】
（実施例２）
実施例２におけるレンズデータを表２に示す。図７は実施例２のレンズの断面図である。実施例２の撮像レンズは、物体側から順に、開口絞りＡｐｅ、物体側に凸面を備え正の屈折力を有する第１レンズＬ１、第２レンズＬ２、負の屈折力を有する第３レンズＬ３から成る。第１レンズＬ１は物体側が凸面、像側が凹面の物凸メニスカス形状である。第２レンズＬ２は物体側が凹面であり、像側面が凸面である。第３レンズＬ３は像側面が凹面でかつ周辺部に凸面を有する。ＩＲＣＦはＩＲカットフィルタであり、ＩＭは固体撮像素子の撮像面である。
【００５７】
［表２］
[実施例2]
Reference Wave Length = 587.56 nm
SURF DATA
NUM.       r           d          nd     vd
OBJ     INFINITY    350.0000
1       1e+018      0.0500
STO       1e+018     -0.1173
3*      0.6465      0.4010     1.58313  59.44
4*      1.2537      0.2450
5*     -2.4412      0.4018     1.58313  59.44
6*     -1.0173      0.1209
7*     -27.0359     0.4158     1.58313  59.44
8*      1.2804      0.1827
9       1e+018      0.1450     1.51633  64.14
10       1e+018      0.2147
IMG     INFINITY      
ASPHERICAL SURFACE
3:K=-9.85234e+000,A4=4.33389e+000,A6=-2.52893e+001,A8=1.07836e+002,A10=2.28829e+002,A12=-4.05009e+003,A14=1.13135e+004,A16=0.00000e+000,A18=0.00000e+000,A20=0.00000e+000
4:K=1.45514e+000,A4=7.09325e-001,A6=-1.39592e+000,A8=8.52761e+001,A10=-7.75323e+002,A12=3.17675e+003,A14=-4.99608e+002,A16=0.00000e+000,A18=0.00000e+000,A20=0.00000e+000
5:K=-2.59840e+000,A4=-1.64483e-001,A6=3.26907e+000,A8=-1.22912e+002,A10=1.36493e+003,A12=-7.17936e+003,A14=1.79065e+004,A16=-1.83999e+004,A18=0.00000e+000,A20=0.00000e+000
6:K=-1.88242e+001,A4=-1.77959e+000,A6=6.23496e+000,A8=-1.60096e+001,A10=5.15534e+001,A12=-4.98601e+001,A14=-1.01401e+002,A16=1.54188e+002,A18=0.00000e+000,A20=0.00000e+000
7:K=0.00000e+000,A3=0.00000e+000,A4=-1.41854e+000,A5=0.00000e+000,A6=5.04547e-001,A7=0.00000e+000,A8=7.73830e+000,A9=0.00000e+000,A10=-1.30649e+001,A11=0.00000e+000,A12=4.24582e+000,A13=0.00000e+000,A14=4.95653e+000,A15=0.00000e+000,A16=-3.06028e+000,A17=0.00000e+000,A18=0.00000e+000,A19=0.00000e+000,A20=0.00000e+000
8:K=2.51907e-001,A3=0.00000e+000,A4=-1.23037e+000,A5=0.00000e+000,A6=1.58196e+000,A7=0.00000e+000,A8=-1.45211e+000,A9=0.00000e+000,A10=2.43251e-001,A11=0.00000e+000,A12=7.13730e-001,A13=0.00000e+000,A14=-6.37125e-001,A15=0.00000e+000,A16=1.63590e-001,A17=0.00000e+000,A18=0.00000e+000,A19=0.00000e+000,A20=0.00000e+000
FL       1.769mm
Fno       2.400
w       35.40゜
Ymax       1.295mm
BF       0.542mm
TL       2.127mm
Elem   Surfs     Focal Length
1     3- 4       1.841mm
2     5- 6       2.709mm
3     7- 8      -2.085mm
【００５８】
図８は実施例２の収差図（球面収差（ａ）、非点収差（ｂ）、歪曲収差（ｃ））である。
【００５９】
（実施例３）
実施例３におけるレンズデータを表３に示す。図９は実施例３のレンズの断面図である。実施例３の撮像レンズは、物体側から順に、開口絞りＡｐｅ、物体側に凸面を備え正の屈折力を有する第１レンズＬ１、第２レンズＬ２、負の屈折力を有する第３レンズＬ３から成る。第１レンズＬ１は物体側が凸面、像側が凹面の物凸メニスカス形状である。第２レンズＬ２は物体側が凹面であり、像側面が凸面である。第３レンズＬ３は像側面が凹面でかつ周辺部に凸面を有する。ＩＲＣＦはＩＲカットフィルタであり、ＩＭは固体撮像素子の撮像面である。
【００６０】
［表３］
[実施例3]
Reference Wave Length = 587.56 nm
SURF DATA
NUM.       r           d          nd     vd
OBJ     INFINITY    350.0000
1       1e+018      0.0500
STO       1e+018     -0.0890
3*      0.7538      0.4140     1.58313  59.44
4*      1.7595      0.3299
5*     -1.3661      0.3546     1.58313  59.44
6*     -0.8976      0.0200
7*      1.9338      0.4469     1.58313  59.44
8*      0.9643      0.4166
9       1e+018      0.2100     1.51633  64.14
10       1e+018      0.0460
IMG     INFINITY      
ASPHERICAL SURFACE
3:K=-1.02298e+001,A3=-4.71951e-002,A4=3.21614e+000,A5=-2.10501e-001,A6=-1.73204e+001,A7=0.00000e+000,A8=8.02584e+001,A9=0.00000e+000,A10=1.96253e+001,A11=0.00000e+000,A12=-1.94373e+003,A13=0.00000e+000,A14=5.97425e+003,A15=0.00000e+000,A16=0.00000e+000,A17=0.00000e+000,A18=0.00000e+000,A19=0.00000e+000,A20=0.00000e+000
4:K=6.40445e+000,A4=2.52384e-001,A6=-8.77264e-001,A8=2.20570e+001,A10=-1.72648e+002,A12=6.51289e+002,A14=-6.00426e+002,A16=0.00000e+000,A18=0.00000e+000,A20=0.00000e+000
5:K=-2.15812e+001,A4=-5.67335e-001,A6=2.07946e+000,A8=-9.29274e+001,A10=1.04042e+003,A12=-5.76618e+003,A14=1.68506e+004,A16=-2.12551e+004,A18=0.00000e+000,A20=0.00000e+000
6:K=-1.40891e+001,A4=-1.93827e+000,A6=5.08491e+000,A8=-1.62450e+001,A10=5.10933e+001,A12=-3.01929e+001,A14=-3.93449e+001,A16=-4.53094e+000,A18=0.00000e+000,A20=0.00000e+000
7:K=0.00000e+000,A3=0.00000e+000,A4=-1.44793e+000,A5=0.00000e+000,A6=-3.65941e-001,A7=0.00000e+000,A8=6.55839e+000,A9=0.00000e+000,A10=-7.26979e+000,A11=0.00000e+000,A12=9.98861e-001,A13=0.00000e+000,A14=8.11267e-001,A15=0.00000e+000,A16=5.20526e-001,A17=0.00000e+000,A18=0.00000e+000,A19=0.00000e+000,A20=0.00000e+000
8:K=-2.90917e-001,A3=0.00000e+000,A4=-1.28121e+000,A5=0.00000e+000,A6=1.36460e+000,A7=0.00000e+000,A8=-1.17266e+000,A9=0.00000e+000,A10=5.86706e-002,A11=0.00000e+000,A12=6.23348e-001,A13=0.00000e+000,A14=-4.00205e-001,A15=0.00000e+000,A16=5.15907e-002,A17=0.00000e+000,A18=0.00000e+000,A19=0.00000e+000,A20=0.00000e+000
FL       1.731mm
Fno       2.420
w       34.95゜
Ymax       1.234mm
BF       0.673mm
TL       2.238mm
Elem   Surfs     Focal Length
1     3- 4       1.964mm
2     5- 6       3.510mm
3     7- 8      -3.973mm
【００６１】
図１０は実施例３の収差図（球面収差（ａ）、非点収差（ｂ）、歪曲収差（ｃ））である。
【００６２】
（実施例４）
実施例４におけるレンズデータを表４に示す。図１１は実施例４のレンズの断面図である。実施例４の撮像レンズは、物体側から順に、開口絞りＡｐｅ、物体側に凸面を備え正の屈折力を有する第１レンズＬ１、第２レンズＬ２、負の屈折力を有する第３レンズＬ３から成る。第１レンズＬ１は物体側が凸面、像側が凹面の物凸メニスカス形状である。第２レンズＬ２は物体側が凹面であり、像側面が凸面である。第３レンズＬ３は像側面が凹面でかつ周辺部に凸面を有する。ＩＲＣＦはＩＲカットフィルタであり、ＩＭは固体撮像素子の撮像面である。
【００６３】
［表４］
[実施例4]
Reference Wave Length = 587.56 nm
SURF DATA
NUM.       r           d          nd     vd
OBJ     INFINITY    350.0000
1       1e+018      0.0500
STO       8e+017     -0.0856
3*      0.5341      0.3066     1.58313  59.44
4*      1.0461      0.2241
5*     -1.3219      0.3255     1.58313  59.44
6*     -0.6708      0.0200
7*      2.2903      0.3022     1.58313  59.44
8*      0.7430      0.1827
9       1e+018      0.1450     1.51633  64.14
10       1e+018      0.2246
IMG     INFINITY      
ASPHERICAL SURFACE
3:K=-1.26588e+001,A4=9.60213e+000,A6=-1.01995e+002,A8=6.99594e+002,A10=2.90205e+003,A12=-7.58814e+004,A14=3.37048e+005,A16=0.00000e+000,A18=0.00000e+000,A20=0.00000e+000
4:K=-1.08216e+000,A4=1.71624e+000,A6=-1.16538e+001,A8=5.83475e+002,A10=-7.99398e+003,A12=5.06305e+004,A14=-7.12124e+004,A16=0.00000e+000,A18=0.00000e+000,A20=0.00000e+000
5:K=-3.18826e+000,A4=-2.34538e-001,A6=1.62040e+001,A8=-8.15451e+002,A10=1.49262e+004,A12=-1.35044e+005,A14=6.17716e+005,A16=-1.19743e+006,A18=0.00000e+000,A20=0.00000e+000
6:K=-9.80067e+000,A4=-3.93296e+000,A6=2.15066e+001,A8=-1.00633e+002,A10=5.97575e+002,A12=-9.06078e+002,A14=-3.37693e+003,A16=7.95303e+003,A18=0.00000e+000,A20=0.00000e+000
7:K=0.00000e+000,A3=0.00000e+000,A4=-3.37645e+000,A5=0.00000e+000,A6=1.85582e+000,A7=0.00000e+000,A8=5.03646e+001,A9=0.00000e+000,A10=-1.45583e+002,A11=0.00000e+000,A12=8.22027e+001,A13=0.00000e+000,A14=1.65261e+002,A15=0.00000e+000,A16=-1.80383e+002,A17=0.00000e+000,A18=0.00000e+000,A19=0.00000e+000,A20=0.00000e+000
8:K=-4.71896e-001,A3=0.00000e+000,A4=-3.04237e+000,A5=0.00000e+000,A6=6.39625e+000,A7=0.00000e+000,A8=-9.66583e+000,A9=0.00000e+000,A10=2.96920e+000,A11=0.00000e+000,A12=1.36719e+001,A13=0.00000e+000,A14=-2.03550e+001,A15=0.00000e+000,A16=9.47952e+000,A17=0.00000e+000,A18=0.00000e+000,A19=0.00000e+000,A20=0.00000e+000
FL       1.389mm
Fno       2.400
w       34.95゜
Ymax       0.991mm
BF       0.552mm
TL       1.731mm
Elem   Surfs     Focal Length
1     3- 4       1.533mm
2     5- 6       1.972mm
3     7- 8      -2.032mm
【００６４】
図１２は実施例４の収差図（球面収差（ａ）、非点収差（ｂ）、歪曲収差（ｃ））である。
【００６５】
（実施例５）
実施例５におけるレンズデータを表５に示す。図１３は実施例５のレンズの断面図である。実施例５の撮像レンズは、物体側から順に、開口絞りＡｐｅ、物体側に凸面を備え正の屈折力を有する第１レンズＬ１、第２レンズＬ２、負の屈折力を有する第３レンズＬ３から成る。第１レンズＬ１は物体側が凸面、像側が凹面の物凸メニスカス形状である。第２レンズＬ２は物体側が凹面であり、像側面が凸面である。第３レンズＬ３は像側面が凹面でかつ周辺部に凸面を有する。ＩＲＣＦはＩＲカットフィルタであり、ＩＭは固体撮像素子の撮像面である。
【００６６】
［表５］
[実施例5]
Reference Wave Length = 587.56 nm
SURF DATA
NUM.       r           d          nd     vd
OBJ     INFINITY    350.0000
1       1e+018      0.0500
STO       8e+017     -0.0605
3*      0.6765      0.3664     1.58313  59.44
4*      2.2475      0.1870
5*     -1.2310      0.3599     1.58313  59.44
6*     -0.6254      0.0200
7*      2.1231      0.3172     1.58313  59.44
8*      0.6577      0.1827
9       1e+018      0.1450     1.51633  64.14
10       1e+018      0.2421
IMG     INFINITY      
ASPHERICAL SURFACE
3:K=-2.19950e+001,A4=7.80295e+000,A6=-9.87169e+001,A8=7.18215e+002,A10=2.50870e+003,A12=-7.86986e+004,A14=3.66405e+005,A16=0.00000e+000,A18=0.00000e+000,A20=0.00000e+000
4:K=-3.39252e+001,A4=1.01601e+000,A6=-1.96136e+001,A8=5.39391e+002,A10=-7.67207e+003,A12=5.08502e+004,A14=-1.31428e+005,A16=0.00000e+000,A18=0.00000e+000,A20=0.00000e+000
5:K=5.76245e-001,A4=3.41969e-001,A6=1.56094e+001,A8=-7.84281e+002,A10=1.48108e+004,A12=-1.35992e+005,A14=6.18436e+005,A16=-1.15417e+006,A18=0.00000e+000,A20=0.00000e+000
6:K=-7.16419e+000,A4=-3.32814e+000,A6=2.05520e+001,A8=-1.03770e+002,A10=6.04532e+002,A12=-8.20612e+002,A14=-3.41528e+003,A16=7.70186e+003,A18=0.00000e+000,A20=0.00000e+000
7:K=0.00000e+000,A3=0.00000e+000,A4=-3.02355e+000,A5=0.00000e+000,A6=2.64229e-001,A7=0.00000e+000,A8=4.87949e+001,A9=0.00000e+000,A10=-1.42302e+002,A11=0.00000e+000,A12=9.73283e+001,A13=0.00000e+000,A14=1.84249e+002,A15=0.00000e+000,A16=-2.64982e+002,A17=0.00000e+000,A18=0.00000e+000,A19=0.00000e+000,A20=0.00000e+000
8:K=-5.61472e-001,A3=0.00000e+000,A4=-3.18554e+000,A5=0.00000e+000,A6=6.64254e+000,A7=0.00000e+000,A8=-9.71900e+000,A9=0.00000e+000,A10=2.77755e+000,A11=0.00000e+000,A12=1.33813e+001,A13=0.00000e+000,A14=-2.05057e+001,A15=0.00000e+000,A16=9.44739e+000,A17=0.00000e+000,A18=0.00000e+000,A19=0.00000e+000,A20=0.00000e+000
FL       1.380mm
Fno       2.400   
w       34.95゜
Ymax       0.991mm
BF       0.570mm
TL       1.820mm
Elem   Surfs     Focal Length
1     3- 4       1.528mm
2     5- 6       1.789mm
3     7- 8      -1.776mm
【００６７】
図１４は実施例５の収差図（球面収差（ａ）、非点収差（ｂ）、歪曲収差（ｃ））である。
【００６８】
（実施例６）
実施例６におけるレンズデータを表６に示す。図１５は実施例６のレンズの断面図である。実施例６の撮像レンズは、物体側から順に、開口絞りＡｐｅ、物体側に凸面を備え正の屈折力を有する第１レンズＬ１、第２レンズＬ２、負の屈折力を有する第３レンズＬ３から成る。第１レンズＬ１は物体側が凸面、像側が凹面の物凸メニスカス形状である。第２レンズＬ２は物体側が凹面であり、像側面が凸面である。第３レンズＬ３は像側面が凹面でかつ周辺部に凸面を有する。ＩＲＣＦはＩＲカットフィルタであり、ＩＭは固体撮像素子の撮像面である。
【００６９】
［表６］
[実施例6]
Reference Wave Length = 587.56 nm
SURF DATA
NUM.       r           d          nd     vd
OBJ     INFINITY    350.0000
1       1e+018      0.0500
STO       1e+018     -0.0855
3*      0.8011      0.3237     1.54470  55.99
4*      2.2836      0.3157
5*     -1.4368      0.5530     1.54470  55.99
6*     -0.6722      0.1758
7*      1.7519      0.2902     1.63200  23.39
8*      0.6802      0.3956
9       1e+018      0.2100     1.51633  64.14
10       1e+018      0.0695
IMG     INFINITY      
ASPHERICAL SURFACE
3:K=-9.87779e+000,A3=-6.55027e-002,A4=3.44426e+000,A5=-7.76118e+000,A6=1.56862e+001,A7=0.00000e+000,A8=-1.36462e+002,A9=0.00000e+000,A10=1.25602e+003,A11=0.00000e+000,A12=-5.94589e+003,A13=0.00000e+000,A14=1.12813e+004,A15=0.00000e+000,A16=0.00000e+000,A17=0.00000e+000,A18=0.00000e+000,A19=0.00000e+000,A20=0.00000e+0004:K=1.89046e+001,A4=2.28559e-001,A6=-1.70359e+000,A8=3.53529e+001,A10=-2.49739e+002,A12=1.03705e+003,A14=-1.29823e+003,A16=0.00000e+000,A18=0.00000e+000,A20=0.00000e+000
5:K=-5.00000e+001,A4=-2.49136e+000,A6=1.70116e+001,A8=-1.85904e+002,A10=1.37438e+003,A12=-6.16703e+003,A14=1.58146e+004,A16=-1.67733e+004,A18=0.00000e+000,A20=0.00000e+000
6:K=-5.57638e+000,A4=-2.14824e+000,A6=5.66201e+000,A8=-1.48783e+001,A10=2.84402e+001,A12=-2.59328e+001,A14=-8.71478e+000,A16=6.33991e+001,A18=0.00000e+000,A20=0.00000e+000
7:K=0.00000e+000,A3=0.00000e+000,A4=-1.79161e+000,A5=0.00000e+000,A6=2.84819e-001,A7=0.00000e+000,A8=6.57807e+000,A9=0.00000e+000,A10=-1.10690e+001,A11=0.00000e+000,A12=1.74363e+000,A13=0.00000e+000,A14=8.77950e+000,A15=0.00000e+000,A16=-5.88319e+000,A17=0.00000e+000,A18=0.00000e+000,A19=0.00000e+000,A20=0.00000e+000
8:K=-3.75175e+000,A3=0.00000e+000,A4=-1.07137e+000,A5=0.00000e+000,A6=1.46707e+000,A7=0.00000e+000,A8=-1.04080e+000,A9=0.00000e+000,A10=-1.16349e-003,A11=0.00000e+000,A12=5.26393e-001,A13=0.00000e+000,A14=-3.55775e-001,A15=0.00000e+000,A16=7.45061e-002,A17=0.00000e+000,A18=0.00000e+000,A19=0.00000e+000,A20=0.00000e+000
FL       1.720mm
Fno       2.400   
w       34.95゜
Ymax       1.233mm
BF       0.675mm
TL       2.333mm
Elem   Surfs     Focal Length
1     3- 4       2.104mm
2     5- 6       1.848mm
3     7- 8      -1.965mm
【００７０】
図１６は実施例６の収差図（球面収差（ａ）、非点収差（ｂ）、歪曲収差（ｃ））である。
【００７１】
（実施例７）
実施例７におけるレンズデータを表７に示す。図１７は実施例７のレンズの断面図である。実施例７の撮像レンズは、物体側から順に、開口絞りＡｐｅ、物体側に凸面を備え正の屈折力を有する第１レンズＬ１、第２レンズＬ２、負の屈折力を有する第３レンズＬ３から成る。第１レンズＬ１は物体側が凸面、像側が凹面の物凸メニスカス形状である。第２レンズＬ２は物体側が凹面であり、像側面が凸面である。第３レンズＬ３は像側面が凹面でかつ周辺部に凸面を有する。ＩＲＣＦはＩＲカットフィルタであり、ＩＭは固体撮像素子の撮像面である。
【００７２】
［表７］
[実施例7]
Reference Wave Length = 587.56 nm
SURF DATA
NUM.       r           d          nd     vd
OBJ     INFINITY    350.0000
1       1e+018      0.0500
STO       1e+018     -0.0950
3*      0.8100      0.4970     1.58313  59.44
4*      1.8120      0.2860
5*     -2.6965      0.4920     1.58313  59.44
6*     -0.8337      0.0500
7*      1e+018      0.4500     1.58313  59.44
8*      1.0328      0.2120
9       1e+018      0.1750     1.51633  64.14
10       1e+018      0.2389
IMG     INFINITY      
ASPHERICAL SURFACE
3:K=-1.09130e+001,A3=-4.28630e-002,A4=2.72130e+000,A5=-1.73630e-001,A6=-1.39980e+001,A7=0.00000e+000,A8=6.19930e+001,A9=0.00000e+000,A10=8.17240e+000,A11=0.00000e+000,A12=-1.30390e+003,A13=0.00000e+000,A14=3.68140e+003,A15=0.00000e+000,A16=0.00000e+000,A17=0.00000e+000,A18=0.00000e+000,A19=0.00000e+000,A20=0.00000e+000
4:K=-7.10230e-001,A4=3.05050e-001,A6=1.15600e+000,A8=3.13370e+000,A10=-7.87290e+001,A12=4.39260e+002,A14=-7.01600e+002,A16=0.00000e+000,A18=0.00000e+000,A20=0.00000e+000
5:K=9.36420e-001,A4=-3.38170e-001,A6=4.90530e+000,A8=-7.81990e+001,A10=6.90310e+002,A12=-3.41590e+003,A14=8.90940e+003,A16=-9.71660e+003,A18=0.00000e+000,A20=0.00000e+000
6:K=-7.19890e+000,A4=-1.51010e+000,A6=4.39310e+000,A8=-1.02880e+001,A10=2.37390e+001,A12=-1.65960e+001,A14=-1.37720e+001,A16=1.42310e+001,A18=0.00000e+000,A20=0.00000e+000
7:K=0.00000e+000,A3=0.00000e+000,A4=-1.14210e+000,A5=0.00000e+000,A6=5.77640e-002,A7=0.00000e+000,A8=4.51270e+000,A9=0.00000e+000,A10=-6.42750e+000,A11=0.00000e+000,A12=3.16230e+000,A13=0.00000e+000,A14=7.43000e-001,A15=0.00000e+000,A16=-1.13770e+000,A17=0.00000e+000,A18=0.00000e+000,A19=0.00000e+000,A20=0.00000e+000
8:K=-2.52380e-001,A4=-1.05890e+000,A6=1.00030e+000,A8=-7.52190e-001,A10=1.65600e-002,A12=3.61580e-001,A14=-2.28690e-001,A16=3.47470e-002,A18=0.00000e+000,A20=0.00000e+000
FL       1.858mm
Fno       2.420
w       34.47゜
Ymax       1.295mm
BF       0.626mm
TL       2.401mm
Elem   Surfs     Focal Length
1     3- 4       2.124mm
2     5- 6       1.886mm
3     7- 8      -1.771mm
【００７３】
図１８は実施例７の収差図（球面収差（ａ）、非点収差（ｂ）、歪曲収差（ｃ））である。
【００７４】
（実施例８）
実施例８におけるレンズデータを表８に示す。図１９は実施例８のレンズの断面図である。実施例８の撮像レンズは、物体側から順に、開口絞りＡｐｅ、物体側に凸面を備え正の屈折力を有する第１レンズＬ１、第２レンズＬ２、負の屈折力を有する第３レンズＬ３から成る。第１レンズＬ１は物体側が凸面、像側が凹面の物凸メニスカス形状である。第２レンズＬ２は物体側が凹面であり、像側面が凸面である。第３レンズＬ３は像側面が凹面でかつ周辺部に凸面を有する。ＩＲＣＦはＩＲカットフィルタであり、ＩＭは固体撮像素子の撮像面である。
【００７５】
［表８］
[実施例8]
Reference Wave Length = 587.56 nm
SURF DATA
NUM.       r           d          nd     vd
OBJ     INFINITY    350.0000
1       1e+018      0.0500
STO       9e+017     -0.0940
3*      0.8725      0.5130     1.58313  59.44
4*      1.7620      0.4000
5*     -3.1758      0.5280     1.58313  59.44
6*     -1.0426      0.1030
7*      1e+020      0.4520     1.58313  59.44
8*      1.2574      0.2050
9       1e+018      0.2100     1.51633  64.14
10       1e+018      0.3214
IMG     INFINITY     
ASPHERICAL SURFACE
3:K=-1.06660e+001,A4=1.94190e+000,A6=-7.85770e+000,A8=2.76230e+001,A10=-8.51860e-001,A12=-3.80390e+002,A14=9.37710e+002,A16=0.00000e+000,A18=0.00000e+000,A20=0.00000e+000
4:K=1.48910e+000,A4=2.85310e-001,A6=4.86070e-002,A8=3.10470e+000,A10=-3.84290e+000,A12=-3.29300e+001,A14=1.49880e+002,A16=0.00000e+000,A18=0.00000e+000,A20=0.00000e+000
5:K=7.67660e+000,A4=-1.21580e-001,A6=1.95950e+000,A8=-3.28920e+001,A10=2.43670e+002,A12=-9.56010e+002,A14=1.92260e+003,A16=-1.58860e+003,A18=0.00000e+000,A20=0.00000e+000
6:K=-9.43740e+000,A4=-9.98920e-001,A6=2.37560e+000,A8=-4.77930e+000,A10=8.10950e+000,A12=-4.75270e+000,A14=-2.59250e+000,A16=2.65170e+000,A18=0.00000e+000,A20=0.00000e+000
7:K=0.00000e+000,A4=-7.94090e-001,A6=1.85940e-002,A8=1.93190e+000,A10=-2.31150e+000,A12=8.67520e-001,A14=2.62540e-001,A16=-2.17920e-001,A18=0.00000e+000,A20=0.00000e+000
8:K=-1.90790e-001,A4=-7.43050e-001,A6=5.73280e-001,A8=-3.18710e-001,A10=-1.09810e-004,A12=9.67330e-002,A14=-4.97220e-002,A16=7.54580e-003,A18=0.00000e+000,A20=0.00000e+000
FL       2.218mm
Fno       2.800
w       34.21゜
Ymax       1.545mm
BF       0.736mm
TL       2.732mm
Elem   Surfs     Focal Length
1     3- 4       2.444mm
2     5- 6       2.439mm
3     7- 8      -2.156mm
【００７６】
図２０は実施例８の収差図（球面収差（ａ）、非点収差（ｂ）、歪曲収差（ｃ））である。
【００７７】
（実施例９）
実施例９におけるレンズデータを表９に示す。図２１は実施例９のレンズの断面図である。実施例９の撮像レンズは、物体側から順に、開口絞りＡｐｅ、物体側に凸面を備え正の屈折力を有する第１レンズＬ１、第２レンズＬ２、負の屈折力を有する第３レンズＬ３から成る。第１レンズＬ１は物体側が凸面、像側が凹面の物凸メニスカス形状である。第２レンズＬ２は物体側が凹面であり、像側面が凸面である。第３レンズＬ３は像側面が凹面でかつ周辺部に凸面を有する。ＩＲＣＦはＩＲカットフィルタであり、ＩＭは固体撮像素子の撮像面である。
【００７８】
［表９］
[実施例9]
Reference Wave Length = 587.56 nm
SURF DATA
NUM.       r           d          nd     vd
OBJ     INFINITY    350.0000
1       1e+018      0.0500
STO       1e+018     -0.0554
3*      0.8130      0.3376     1.58313  59.44
4*      1.9159      0.4237
5*     -9.1229      0.5201     1.58313  59.44
6*     -0.8074      0.1447
7*     -1.5112      0.3500     1.58313  59.44
8*      1.8101      0.1655
9       1e+018      0.2100     1.51633  64.14
10       1e+018      0.1780
IMG     INFINITY      
ASPHERICAL SURFACE
3:K=-8.41137e+000,A3=-1.89085e-001,A4=3.26293e+000,A5=-3.27022e+000,A6=-5.22303e+000,A7=0.00000e+000,A8=-7.38156e+000,A9=0.00000e+000,A10=9.32430e+002,A11=0.00000e+000,A12=-8.10202e+003,A13=0.00000e+000,A14=2.20764e+004,A15=0.00000e+000,A16=0.00000e+000,A17=0.00000e+000,A18=0.00000e+000,A19=0.00000e+000,A20=0.00000e+000
4:K=1.95777e+001,A4=-9.73005e-002,A6=6.00918e-002,A8=-9.62410e+000,A10=-1.26856e+002,A12=1.85600e+003,A14=-8.14407e+003,A16=0.00000e+000,A18=0.00000e+000,A20=0.00000e+000
5:K=5.00000e+001,A4=-5.01089e-001,A6=4.58089e+000,A8=-7.58649e+001,A10=6.51015e+002,A12=-3.05960e+003,A14=7.49193e+003,A16=-7.64498e+003,A18=0.00000e+000,A20=0.00000e+000
6:K=-7.82824e+000,A4=-1.43882e+000,A6=4.12154e+000,A8=-1.06296e+001,A10=2.12637e+001,A12=-1.18091e+001,A14=-7.27818e+000,A16=2.58626e+000,A18=0.00000e+000,A20=0.00000e+000
7:K=0.00000e+000,A3=0.00000e+000,A4=-6.78548e-001,A5=0.00000e+000,A6=-2.85546e-001,A7=0.00000e+000,A8=4.12093e+000,A9=0.00000e+000,A10=-5.67624e+000,A11=0.00000e+000,A12=3.19559e+000,A13=0.00000e+000,A14=9.18131e-001,A15=0.00000e+000,A16=-1.80888e+000,A17=0.00000e+000,A18=0.00000e+000,A19=0.00000e+000,A20=0.00000e+000
8:K=1.01272e+000,A3=0.00000e+000,A4=-6.84353e-001,A5=0.00000e+000,A6=7.32018e-001,A7=0.00000e+000,A8=-5.87425e-001,A9=0.00000e+000,A10=2.97702e-002,A11=0.00000e+000,A12=2.99710e-001,A13=0.00000e+000,A14=-2.28302e-001,A15=0.00000e+000,A16=5.37851e-002,A17=0.00000e+000,A18=0.00000e+000,A19=0.00000e+000,A20=0.00000e+000
FL       1.814mm
Fno       2.780
w       34.49゜
Ymax       1.295mm
BF       0.554mm
TL       2.230mm
Elem   Surfs     Focal Length
1     3- 4       2.177mm
2     5- 6       1.485mm
3     7- 8      -1.360mm
【００７９】
図２２は実施例９の収差図（球面収差（ａ）、非点収差（ｂ）、歪曲収差（ｃ））である。
【００８０】
（実施例１０）
実施例１０におけるレンズデータを表１０に示す。図２３は実施例１０のレンズの断面図である。実施例１０の撮像レンズは、物体側から順に、開口絞りＡｐｅ、物体側に凸面を備え正の屈折力を有する第１レンズＬ１、第２レンズＬ２、負の屈折力を有する第３レンズＬ３から成る。第１レンズＬ１は物体側が凸面、像側が凹面の物凸メニスカス形状である。第２レンズＬ２は物体側が凹面であり、像側面が凸面である。第３レンズＬ３は像側面が凹面でかつ周辺部に凸面を有する。ＩＲＣＦはＩＲカットフィルタであり、ＩＭは固体撮像素子の撮像面である。
【００８１】
［表１０］
[実施例10]
Reference Wave Length = 587.56 nm
SURF DATA
NUM.       r           d          nd     vd
OBJ     INFINITY    350.0000
1       1e+018      0.0500
STO       1e+018     -0.0286
3*      0.9743      0.7072     1.58313  59.44
4*      4.3185      0.1584
5*     -1.4890      0.3542     1.58313  59.44
6*     -0.8520      0.0575
7*      2.0908      0.4305     1.58313  59.44
8*      1.0186      0.1657
9       1e+018      0.2100     1.51633  64.14
10       1e+018      0.2581
IMG     INFINITY      
ASPHERICAL SURFACE
3:K=-1.49646e+001,A3=-2.40163e-001,A4=3.19329e+000,A5=-3.12984e+000,A6=-5.17692e+000,A7=0.00000e+000,A8=-1.78454e+001,A9=0.00000e+000,A10=8.55955e+002,A11=0.00000e+000,A12=-8.04824e+003,A13=0.00000e+000,A14=2.86045e+004,A15=0.00000e+000,A16=0.00000e+000,A17=0.00000e+000,A18=0.00000e+000,A19=0.00000e+000,A20=0.00000e+000
4:K=2.55757e+001,A4=-1.59434e-001,A6=3.62896e+000,A8=-2.34729e+001,A10=-2.01401e+002,A12=1.89444e+003,A14=-4.54269e+003,A16=0.00000e+000,A18=0.00000e+000,A20=0.00000e+000
5:K=8.18681e+000,A4=2.39407e-001,A6=5.15397e+000,A8=-7.60391e+001,A10=6.42980e+002,A12=-3.06012e+003,A14=7.53016e+003,A16=-8.06855e+003,A18=0.00000e+000,A20=0.00000e+000
6:K=-1.24645e+001,A4=-1.64885e+000,A6=4.81635e+000,A8=-9.27638e+000,A10=2.07419e+001,A12=-1.07214e+001,A14=-9.09638e+000,A16=-5.03441e-001,A18=0.00000e+000,A20=0.00000e+000
7:K=0.00000e+000,A3=0.00000e+000,A4=-9.04595e-001,A5=0.00000e+000,A6=-4.50738e-001,A7=0.00000e+000,A8=3.99429e+000,A9=0.00000e+000,A10=-5.81707e+000,A11=0.00000e+000,A12=3.02672e+000,A13=0.00000e+000,A14=8.76283e-001,A15=0.00000e+000,A16=-1.08086e+000,A17=0.00000e+000,A18=0.00000e+000,A19=0.00000e+000,A20=0.00000e+000
8:K=-2.99939e-001,A3=0.00000e+000,A4=-9.97211e-001,A5=0.00000e+000,A6=9.56039e-001,A7=0.00000e+000,A8=-7.50568e-001,A9=0.00000e+000,A10=1.47239e-002,A11=0.00000e+000,A12=3.45320e-001,A13=0.00000e+000,A14=-2.04576e-001,A15=0.00000e+000,A16=2.23757e-002,A17=0.00000e+000,A18=0.00000e+000,A19=0.00000e+000,A20=0.00000e+000
FL       1.626mm
Fno       2.780
w       37.13゜
Ymax       1.295mm
BF       0.634mm
TL       2.342mm
Elem   Surfs     Focal Length
1     3- 4       2.002mm
2     5- 6       2.835mm
3     7- 8      -3.997mm
【００８２】
図２４は実施例１０の収差図（球面収差（ａ）、非点収差（ｂ）、歪曲収差（ｃ））である。
【００８３】
（実施例１１）
実施例１１におけるレンズデータを表１１に示す。図２５は実施例１１のレンズの断面図である。実施例１１の撮像レンズは、物体側から順に、開口絞りＡｐｅ、物体側に凸面を備え正の屈折力を有する第１レンズＬ１、第２レンズＬ２、負の屈折力を有する第３レンズＬ３から成る。第１レンズＬ１は物体側が凸面、像側が凹面の物凸メニスカス形状である。第２レンズＬ２は物体側が凹面であり、像側面が凸面である。第３レンズＬ３は像側面が凹面でかつ周辺部に凸面を有する。ＩＲＣＦはＩＲカットフィルタであり、ＩＭは固体撮像素子の撮像面である。
【００８４】
［表１１］
[実施例11]
Reference Wave Length = 587.56 nm
SURF DATA
NUM.       r           d          nd     vd
OBJ     INFINITY    350.0000
1       1e+018      0.0500
STO       1e+018     -0.0571
3*      0.8510      0.3450     1.62263  58.15
4*      2.1048      0.2332
5*    -10.0229      0.4259     1.58313  59.44
6*     -2.9321      0.2234
7*      2.7076      0.5863     1.84666  23.77
8*      1.3367      0.1655
9       1e+018      0.2100     1.51633  64.14
10       1e+018      0.1831
IMG     INFINITY      
ASPHERICAL SURFACE
3:K=-1.08683e+001,A3=-1.12840e-001,A4=3.16999e+000,A5=-3.38775e+000,A6=-5.45615e+000,A7=0.00000e+000,A8=-6.77783e+000,A9=0.00000e+000,A10=9.30488e+002,A11=0.00000e+000,A12=-8.03887e+003,A13=0.00000e+000,A14=2.20880e+004,A15=0.00000e+000,A16=0.00000e+000,A17=0.00000e+000,A18=0.00000e+000,A19=0.00000e+000,A20=0.00000e+000
4:K=2.07977e+001,A4=-2.67623e-001,A6=2.86720e+000,A8=-1.76914e+001,A10=-1.70949e+002,A12=1.95820e+003,A14=-5.94950e+003,A16=0.00000e+000,A18=0.00000e+000,A20=0.00000e+000
5:K=5.00000e+001,A4=-6.32855e-001,A6=5.04883e+000,A8=-7.48966e+001,A10=6.50885e+002,A12=-3.05342e+003,A14=7.54526e+003,A16=-7.78250e+003,A18=0.00000e+000,A20=0.00000e+000
6:K=1.00070e+001,A4=-1.54318e+000,A6=3.96374e+000,A8=-1.01460e+001,A10=2.23854e+001,A12=-1.02205e+001,A14=-2.44162e+000,A16=3.82496e+001,A18=0.00000e+000,A20=0.00000e+000
7:K=0.00000e+000,A3=0.00000e+000,A4=-1.56360e+000,A5=0.00000e+000,A6=-4.03352e-001,A7=0.00000e+000,A8=3.50762e+000,A9=0.00000e+000,A10=-6.06646e+000,A11=0.00000e+000,A12=3.96505e+000,A13=0.00000e+000,A14=3.15211e+000,A15=0.00000e+000,A16=-9.46297e-001,A17=0.00000e+000,A18=0.00000e+000,A19=0.00000e+000,A20=0.00000e+000
8:K=1.29493e-001,A3=0.00000e+000,A4=-9.94064e-001,A5=0.00000e+000,A6=9.39003e-001,A7=0.00000e+000,A8=-6.74724e-001,A9=0.00000e+000,A10=2.49046e-002,A11=0.00000e+000,A12=3.28650e-001,A13=0.00000e+000,A14=-2.18876e-001,A15=0.00000e+000,A16=4.13213e-002,A17=0.00000e+000,A18=0.00000e+000,A19=0.00000e+000,A20=0.00000e+000
FL       1.824mm
Fno       2.780 
w       35.24゜
Ymax       1.295mm
BF       0.559mm
TL       2.372mm
Elem   Surfs     Focal Length
1     3- 4       2.075mm
2     5- 6       6.953mm
3     7- 8      -3.879mm
【００８５】
図２６は実施例１１の収差図（球面収差（ａ）、非点収差（ｂ）、歪曲収差（ｃ））である。
【００８６】
（実施例１２）
実施例１２におけるレンズデータを表１２に示す。図２７は実施例１２のレンズの断面図である。実施例１２の撮像レンズは、物体側から順に、開口絞りＡｐｅ、物体側に凸面を備え正の屈折力を有する第１レンズＬ１、第２レンズＬ２、負の屈折力を有する第３レンズＬ３から成る。第１レンズＬ１は物体側が凸面、像側が凹面の物凸メニスカス形状である。第２レンズＬ２は物体側が凹面であり、像側面が凸面である。第３レンズＬ３は像側面が凹面でかつ周辺部に凸面を有する。ＩＲＣＦはＩＲカットフィルタであり、ＩＭは固体撮像素子の撮像面である。
【００８７】
［表１２］
[実施例12]
Reference Wave Length = 587.56 nm
SURF DATA
NUM.       r           d          nd     vd
OBJ     INFINITY    350.0000
1       1e+018      0.0500
STO       1e+018     -0.0006
3*      0.8526      0.4288     1.58313  59.44
4*      1.9004      0.3118
5*     -3.3942      0.4370     1.58313  59.46
6*     -1.2270      0.0500
7*      4.5253      0.6291     1.58313  59.45
8*      2.2340      0.1655
9       1e+018      0.2100     1.51633  64.14
10       1e+018      0.2015
IMG     INFINITY      
ASPHERICAL SURFACE
3:K=-9.56855e+000,A3=-1.88182e-001,A4=3.23385e+000,A5=-3.22726e+000,A6=-5.29017e+000,A7=0.00000e+000,A8=-7.46570e+000,A9=0.00000e+000,A10=9.10064e+002,A11=0.00000e+000,A12=-8.16189e+003,A13=0.00000e+000,A14=2.35815e+004,A15=0.00000e+000,A16=0.00000e+000,A17=0.00000e+000,A18=0.00000e+000,A19=0.00000e+000,A20=0.00000e+000
4:K=1.67143e+001,A4=-5.06610e-001,A6=3.92492e+000,A8=-1.70602e+001,A10=-1.84434e+002,A12=1.84284e+003,A14=-5.52663e+003,A16=0.00000e+000,A18=0.00000e+000,A20=0.00000e+000
5:K=4.16616e+001,A4=-3.52990e-001,A6=3.50700e+000,A8=-7.39884e+001,A10=6.56610e+002,A12=-3.05812e+003,A14=7.49659e+003,A16=-7.79121e+003,A18=0.00000e+000,A20=0.00000e+000
6:K=-5.00000e+001,A4=-1.76547e+000,A6=4.41047e+000,A8=-1.07403e+001,A10=2.12245e+001,A12=-1.19162e+001,A14=-7.35682e+000,A16=-8.94720e-001,A18=0.00000e+000,A20=0.00000e+000
7:K=0.00000e+000,A3=0.00000e+000,A4=-5.69869e-001,A5=0.00000e+000,A6=-5.28980e-001,A7=0.00000e+000,A8=4.03618e+000,A9=0.00000e+000,A10=-5.84274e+000,A11=0.00000e+000,A12=3.01323e+000,A13=0.00000e+000,A14=8.66247e-001,A15=0.00000e+000,A16=-1.31120e+000,A17=0.00000e+000,A18=0.00000e+000,A19=0.00000e+000,A20=0.00000e+000
8:K=1.05588e+000,A3=0.00000e+000,A4=-4.15488e-001,A5=0.00000e+000,A6=5.98068e-001,A7=0.00000e+000,A8=-6.52239e-001,A9=0.00000e+000,A10=8.68266e-002,A11=0.00000e+000,A12=3.46025e-001,A13=0.00000e+000,A14=-2.24614e-001,A15=0.00000e+000,A16=3.77636e-002,A17=0.00000e+000,A18=0.00000e+000,A19=0.00000e+000,A20=0.00000e+000
FL       1.684mm
Fno       2.780
w       34.73゜
Ymax       1.295mm
BF       0.577mm
TL       2.434mm
Elem   Surfs     Focal Length
1     3- 4       2.304mm
2     5- 6       3.068mm
3     7- 8      -8.418mm
【００８８】
図２８は実施例１２の収差図（球面収差（ａ）、非点収差（ｂ）、歪曲収差（ｃ））である。
【００８９】
（実施例１３）
実施例１３におけるレンズデータを表１３に示す。図２９は実施例１３のレンズの断面図である。実施例１３の撮像レンズは、物体側から順に、開口絞りＡｐｅ、物体側に凸面を備え正の屈折力を有する第１レンズＬ１、第２レンズＬ２、負の屈折力を有する第３レンズＬ３から成る。第１レンズＬ１は物体側が凸面、像側が凹面の物凸メニスカス形状である。第２レンズＬ２は物体側が凹面であり、像側面が凸面である。第３レンズＬ３は像側面が凹面でかつ周辺部に凸面を有する。ＩＲＣＦはＩＲカットフィルタであり、ＩＭは固体撮像素子の撮像面である。
【００９０】
［表１３］
[実施例13]
Reference Wave Length = 587.56 nm
SURF DATA
NUM.       r           d          nd     vd
OBJ     INFINITY    350.0000
1       1e+018      0.0500
STO       1e+018     -0.0629
3*      0.8033      0.3640     1.58313  59.44
4*      3.3547      0.2000
5*     -2.3040      0.3997     1.58313  59.44
6*     -2.7830      0.1222
7*      3.0976      0.7111     1.69895  30.04
8*      1.5292      0.1655
9       1e+018      0.2100     1.51633  64.14
10       1e+018      0.2349
IMG     INFINITY     
ASPHERICAL SURFACE
3:K=-1.10538e+001,A3=-5.34071e-002,A4=3.22509e+000,A5=-3.34795e+000,A6=-5.81095e+000,A7=0.00000e+000,A8=-9.80495e+000,A9=0.00000e+000,A10=9.51223e+002,A11=0.00000e+000,A12=-7.89805e+003,A13=0.00000e+000,A14=2.06845e+004,A15=0.00000e+000,A16=0.00000e+000,A17=0.00000e+000,A18=0.00000e+000,A19=0.00000e+000,A20=0.00000e+000
4:K=1.96543e+001,A4=-1.89880e-001,A6=1.66328e+000,A8=-1.39335e+001,A10=-1.41459e+002,A12=1.98177e+003,A14=-6.76793e+003,A16=0.00000e+000,A18=0.00000e+000,A20=0.00000e+000
5:K=2.57480e+001,A4=-5.67041e-001,A6=3.50103e+000,A8=-7.37087e+001,A10=6.61022e+002,A12=-3.06695e+003,A14=7.48236e+003,A16=-5.34108e+003,A18=0.00000e+000,A20=0.00000e+000
6:K=1.47469e+001,A4=-2.42219e+000,A6=4.54251e+000,A8=-8.34777e+000,A10=2.10627e+001,A12=-2.47665e+001,A14=-1.77126e+001,A16=2.80048e+002,A18=0.00000e+000,A20=0.00000e+000
7:K=0.00000e+000,A3=0.00000e+000,A4=-2.32258e+000,A5=0.00000e+000,A6=-9.94904e-002,A7=0.00000e+000,A8=1.39208e+000,A9=0.00000e+000,A10=-5.49251e+000,A11=0.00000e+000,A12=1.75696e+001,A13=0.00000e+000,A14=1.68105e+001,A15=0.00000e+000,A16=-2.20728e+002,A17=0.00000e+000,A18=0.00000e+000,A19=0.00000e+000,A20=0.00000e+000
8:K=-3.17164e+000,A3=0.00000e+000,A4=-6.19251e-001,A5=0.00000e+000,A6=5.71808e-001,A7=0.00000e+000,A8=-4.79541e-001,A9=0.00000e+000,A10=8.99498e-002,A11=0.00000e+000,A12=2.71691e-001,A13=0.00000e+000,A14=-2.66729e-001,A15=0.00000e+000,A16=7.81994e-002,A17=0.00000e+000,A18=0.00000e+000,A19=0.00000e+000,A20=0.00000e+000
FL       1.901mm
Fno       2.780
w       34.73゜
Ymax       1.295mm
BF       0.610mm
TL       2.407mm
Elem   Surfs     Focal Length
1     3- 4       1.721mm
2     5- 6      -33.140mm
3     7- 8      -5.312mm
【００９１】
図３０は実施例１３の収差図（球面収差（ａ）、非点収差（ｂ）、歪曲収差（ｃ））である。
【００９２】
各条件式に対応する実施例の値を表１４にまとめて示す。
【００９３】
【表１４】
2013132915.tif 000004
【００９４】
また、本発明は、明細書に記載の実施例に限定されるものではなく、他の実施例・変形例を含むことは、本明細書に記載された実施例や技術思想から本分野の当業者にとって明らかである。例えば、実質的に屈折力を持たないダミーレンズを更に付与した場合でも本発明の適用範囲内である。
【符号の説明】
【００９５】
Ｂ  操作ボタン
Ｄ１，Ｄ２  表示画面
Ｌ１  第１レンズ
Ｌ２  第２レンズ
Ｌ３  第３レンズ
ＬＮ  撮像レンズ
ＬＵ  撮像装置
Ａｐｅ  開口絞り
ＩＭ  イメージセンサ
ＩＭａ  光電変換部
Ｔ  携帯電話機
【図１】
2013132915.tif 000005
【図２】
2013132915.tif 000006
【図３】
2013132915.tif 000007
【図４】
2013132915.tif 000008
【図５】
2013132915.tif 000009
【図６】
2013132915.tif 000010
【図７】
2013132915.tif 000011
【図８】
2013132915.tif 000012
【図９】
2013132915.tif 000013
【図１０】
2013132915.tif 000014
【図１１】
2013132915.tif 000015
【図１２】
2013132915.tif 000016
【図１３】
2013132915.tif 000017
【図１４】
2013132915.tif 000018
【図１５】
2013132915.tif 000019
【図１６】
2013132915.tif 000020
【図１７】
2013132915.tif 000021
【図１８】
2013132915.tif 000022
【図１９】
2013132915.tif 000023
【図２０】
2013132915.tif 000024
【図２１】
2013132915.tif 000025
【図２２】
2013132915.tif 000026
【図２３】
2013132915.tif 000027
【図２４】
2013132915.tif 000028
【図２５】
2013132915.tif 000029
【図２６】
2013132915.tif 000030
【図２７】
2013132915.tif 000031
【図２８】
2013132915.tif 000032
【図２９】
2013132915.tif 000033
【図３０】
2013132915.tif 000034
【国際調査報告】
2013132915.tif 000035
2013132915.tif 000036
2013132915.tif 000037
2013132915.tif 000038